(57)【要約】      （修正有）【課題】バーベキューコンロ体に何らの変更を加えることなく、焼き網自体に調理火力の調整機能を与えるバーベキューコンロ用焼き網を提供する。【解決手段】上方開口部０２を備えたコンロ体０１における上方開口部０２に載置する網板１に、ハの字状に左右開脚すると共に、互いの内方へ網板１に沿うように折り畳み可能とした折畳脚を設ける。折畳脚にコンロ体０１の上方開口部０２内に収まる前後幅とした嵌入脚部と、開脚時に嵌入脚部より上方位置で前後にコンロ体０１の上方開口部０２からはみ出る載置脚部２５とを設ける。コンロ体０１の外周壁０３より外方に突出して下方に折曲する鉤状載置部３１を載置脚部２５に設ける。【選択図】図３
0003190030.tif 000002
【実用新案登録請求の範囲】
【請求項１】
上方開口部を備えたコンロ体における前記開口部に載置する網板に、ハの字状に左右開脚すると共に、互いの内方へ網板に沿うように折り畳み可能とした折畳脚を設けると共に、前記折畳脚にコンロ体の上方開口部内に収まる前後幅とした嵌入脚部と、開脚時に嵌入脚部より上方位置で前後にコンロ体の上方開口部からはみ出る載置脚部とを設けてなることを特徴とするバーベキューコンロ用焼き網。
【請求項２】
コンロ体の外周壁より外方に突出して下方に折曲する鉤状載置部を、網板の前後辺又は載置脚部に設けてなる請求項１記載のバーベキューコンロ用焼き網。
【請求項３】
両端を下方に折曲して鉤状載置部を形成した横杆を網板裏面に固着すると共に、前記横杆に折畳脚の上端を巻装して回動軸としてなる請求項２記載のバーベキューコンロ用焼き網。
【考案の詳細な説明】
【技術分野】
【０００１】
本考案は、バーベキューコンロ用焼き網に関するものである。
【背景技術】
【０００２】
焼き網を使用するバーベキュー用コンロは、基本的に適宜なコンロ体の上方開口部分に焼き網を載置してバーベキュー調理を行うようにしているもので、調理火力調整機能を備える手段として、コンロ体に回動操作によって傾斜角度を変化させる支持杆を設け、前記支持杆に焼き網を載置し、支持杆の回動で網板を上下動させ、火床上の熱源との距離を調整する構造が知られている（特許文献１，２）。
【先行技術文献】
【特許文献】
【０００３】
【特許文献１】特開平９−６５９８５号公報。
【特許文献２】登録実用新案３１５１２５０号公報図２。
【考案の概要】
【考案が解決しようとする課題】
【０００４】
調理火力調整のための焼き網の上下位置調整機構は、予めコンロ体に組み込んでおかなければならず、当該機構を備えていない既存のコンロ体に、更に当該機構を組み込むことは困難である。
【０００５】
そこで本考案は、コンロ体の火床上の熱源との距離を調整できる焼き網を提案したものである。
【課題を解決するための手段】
【０００６】
本考案（請求項１記載の考案）に係るバーベキューコンロ用焼き網は、上方開口部を備えたコンロ体における前記開口部に載置する網板に、ハの字状に左右開脚すると共に、互いの内方へ網板に沿うように折り畳み可能とした折畳脚を設けると共に、前記折畳脚にコンロ体の上方開口部内に収まる前後幅とした嵌入脚部と、開脚時に嵌入脚部より上方位置で前後にコンロ体の上方開口部からはみ出る載置脚部とを設けてなることを特徴とするものである。
【０００７】
而して折畳脚を折り畳んだ状態（閉脚状態）として、そのままコンロ体の上方開口部を塞ぐ様に載置すると、網板は通常の焼き網として使用され、開脚してコンロ体の上方開口部に置くと、嵌入脚部が上方開口部内に嵌入し、載置脚部が上方開口部を形成するコンロ体の前後外周壁上に載置され、網板が閉脚状態でのコンロ装着時よりも高い位置（火床より遠い位置）で、安定して装着されることになる。
【０００８】
また本考案（請求項２記載の考案）に係るバーベキューコンロ用焼き網は、特にコンロ体の外周壁より外方に突出して下方に折曲する鉤状載置部を、網板の前後辺又は載置脚部に設けてなるもので、閉脚状態での使用に際して、鉤状載置部がコンロ体の外周壁の外側に位置して網板がずれるのを防止するものである。
【考案の効果】
【０００９】
本考案の構成は上記のとおり、嵌入脚部と載置脚部を備えた折畳脚を網板に装着するという簡単な構造で、焼き網に装着位置調整機能を与え、コンロ体に何らの変更を加えることなく調理火力の調整機能を確保できたものである。
【図面の簡単な説明】
【００１０】
【図１】本考案の実施形態の全体斜視図（開脚状態）。
【図２】同図（閉脚状態）。
【図３】同使用状態の説明図（開脚状態）。
【図４】同図（閉脚状態）。
【考案を実施するための形態】
【００１１】
次に本考案の実施形態について説明する。実施形態に示した焼き網は、網板１と折畳脚２と横杆３の三部材で構成されているものである。
【００１２】
網板１は、使用するコンロ体０１に対応した大きさで、縁杆１１の内方に網１２を帳設したものである。
【００１３】
折畳脚２は、ハの字状に左右開脚すると共に、互いの内方へ網板１に沿うように折り畳み可能としたもので、左右の折畳脚２は、前後脚部２１，２２と下脚部２３を備えた上方開口コの字状杆で形成され、前後脚部２１，２２の間隔がコンロ体０１の上方開口部０２の幅に収まるようにし、前後脚部２１，２２の上端は、開脚状態で網板１に衝突するように折曲し、且つ後述する横杆３が回動軸となるように横杆３に巻装して、開脚時にハの字状となるようにしたものである。
【００１４】
更に下脚部２３より上方位置の前後脚部２１，２２間に下横杆２４を架設し、下横杆２４の前後端が上方開口部０２の前後内幅よりも突出させて、前記の突出箇所を載置脚部２５とし、更に前記下横杆２４の下方部分となる前後脚部を嵌入脚部２６としたものである。
【００１５】
横杆３は、網板１の縁杆１１に溶接する等して網板１の裏面左右適宜位置に固着したもので、その前後端は、コンロ体の外周壁０３より外方に突出して下方に折曲する鉤状載置部３１に形成したものである。尚前記した下横杆２４の前後端に鉤状載置部を設けても良い。
【００１６】
而して前記の焼き網は、折畳脚を折り畳んだ状態（閉脚状態）或いは開脚状態のいずれかを選択して、コンロ体０１の上方開口部０２に装着するものである。
【００１７】
閉脚状態での装着は、コンロ体０１の上方開口部０２を塞ぐ様に置くと、載置脚部２５と鉤状載置部３１が外周壁０３の上面に載置されると共に、鉤状載置部３１の鉤部分が外周壁０３に引っ掛かるので網板１が前後にずれることなくコンロ体０１に装着され、バーベキュー調理に使用されるものである（図４）。
【００１８】
開脚状態での装着は、嵌入脚部２６を上方開口部０３内に嵌入すると、載置脚部２５が前後の外周壁０３上に載置され、且つ嵌入脚部２５が外周壁０３内に収まっているので、網板１が前後にずれることなく安定した状態で、且つ前記の閉脚状態での装着時よりもコンロ体０１の火床よりも離れた高い位置で装着されて、バーベキュー調理に使用されるものである（図３）。
【符号の説明】
【００１９】
１      網板
１１    縁杆
１２    網
２      折畳脚
２１    前脚部
２２    後脚部
２３    下脚部
２４    下横杆
２５    載置脚部
２６    嵌入脚部
３      横杆
３１    鉤状載置部
０１    コンロ体
０２    上方開口部
０３    外周壁
【図３】
0003190030.tif 000003
【図４】
0003190030.tif 000004
【図１】
0003190030.tif 000005
【図２】
0003190030.tif 000006